(57)【要約】【課題】主に各種電子機器の操作に用いられるリモコン送信機に関し、使い易く、多様な操作が可能なものを提供することを目的とする。【解決手段】操作キーの背面に発光手段１７を設けると共に、制御手段１６がリモコン受信機２１からの応答信号に応じて、所定の発光手段１７を発光させることによって、表示手段７に表示された複数のメニュー１２の選択や決定等を行う際、遠隔操作に必要な操作キーのみが明るく照光され、複数の操作キーの中から操作に必要な操作キーを探す必要がなくなるため、容易に遠隔操作が行えると共に、誤操作も生じづらくなり、使い易く、多様な操作が可能なリモコン送信機を得ることができる。【選択図】図１
2010278608.tif 000002
【特許請求の範囲】
【請求項１】
複数の操作キーが配列された操作手段と、この操作キーの操作に応じて送信手段から操作信号を送信すると共に、受信手段を介してリモコン受信機からの応答信号を受信する制御手段からなり、上記操作キーの背面に発光手段を設けると共に、上記制御手段が上記応答信号に応じて所定の発光手段を発光するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ等の各種電子機器の高機能化が進むなか、これらを遠隔操作するリモコン送信機においても、使い易く多様な操作が行えるものが求められている。
【０００３】
このような従来のリモコン送信機について、図３及び図４を用いて説明する。
【０００４】
図４は従来のリモコン送受信装置の平面図であり、同図において、１は略箱型で絶縁樹脂製のケースで、このケース１上面の複数の開口孔には複数の操作キー２Ａや２Ｂ等が配列され、これらが上下動可能に突出して操作手段２が形成されている。
【０００５】
そして、ケース１内には上下面に複数の配線パターンが形成された配線基板（図示せず）が収納されると共に、操作手段２下方の配線基板上面には、複数の操作キー２Ａや２Ｂ等の上下動によって電気的接離を行う、複数のスイッチ接点（図示せず）が形成されている。
【０００６】
さらに、この配線基板には発光ダイオード等によって送信手段３や、マイコン等によって制御手段４が形成されると共に、この制御手段４に送信手段３や複数のスイッチ接点が配線パターンを介して接続されて、リモコン送信機５が構成されている。
【０００７】
また、６はテレビやビデオ等の電子機器で、この前面には液晶表示素子やブラウン管等の表示手段７や、後方にスイッチ接点が形成された複数の操作キー８が設けられると共に、受光素子等の受信手段９、マイコン等の制御手段１０から形成されたリモコン受信機１１が収納され、このリモコン受信機１１とリモコン送信機５によって、リモコン送受信装置が構成されている。
【０００８】
以上の構成において、リモコン送信機５を電子機器６に向けて、例えば選局用の操作キー２Ａを押圧操作すると、この下方のスイッチ接点の電気的接離が行われ、この電気的接離に応じて制御手段４が、送信手段３から赤外線の選局用の操作信号を電子機器６へ送信し、これをリモコン受信機１１の受信手段９が受信し、制御手段１０によって、例えばテレビの表示手段７に放映されているチャンネルが切り換わる。
【０００９】
あるいは、メニュー用の操作キー２Ｂを押圧操作すると、この下方のスイッチ接点の電気的接離を制御手段４が検出して、メニュー用の操作信号が電子機器６に送信され、図３（ａ）の平面図に示すように、例えばテレビの様々な機能を表す複数のメニュー１２が表示手段７に表示される。
【００１０】
そして、表示手段７下方に表示された指示１３にしたがって、例えばカーソル移動用の操作キー２Ｃや２Ｄを押圧操作すると、この操作に応じた操作信号が送信手段３から送信され、例えばカーソル１４が、図３（ｂ）に示すように、下方へ移動して、所望のメニュー１２が選択される。
【００１１】
さらに、カーソル１４が所望のメニュー１２上へ移動した状態で、例えばメニュー決定用の操作キー２Ｅを押圧操作すると、このメニュー決定用の操作信号を制御手段４が電子機器６に送信して、例えば画質設定等の電子機器６の機能設定が行われる。
【００１２】
つまり、リモコン送信機５の複数の操作キー２Ａや２Ｂ、２Ｃ等の押圧操作に応じて、制御手段４が赤外線の操作信号を送信手段３から送信すると共に、これをリモコン受信機１１が受信することによって、電子機器６の選局等の操作や、あるいは様々な機能の設定等を、離れた場所から遠隔操作できるように構成されているものであった。
【００１３】
なお、この出願の発明に関連する先行技術文献情報としては、例えば、特許文献１が知られている。
【先行技術文献】
【特許文献】
【００１４】
【特許文献１】特開２００７−６２９２号公報
【発明の概要】
【発明が解決しようとする課題】
【００１５】
しかしながら、上記従来のリモコン送信機においては、表示手段７に複数のメニュー１２を表示して、これらの選択や決定等を行う際、先ず表示手段７下方に表示された指示１３を見た後、手元のリモコン送信機５の複数の操作キーの中から操作に必要な操作キーを探し、例えばメニュー１２の選択は操作キー２Ｃと２Ｄ、決定は操作キー２Ｅであることを都度確認しながら、これらの押圧操作を行って電子機器６を遠隔操作する必要があるため、操作が煩雑で、誤操作も生じ易いという課題があった。
【００１６】
本発明は、このような従来の課題を解決するものであり、使い易く、多様な操作が可能なリモコン送信機を提供することを目的とする。
【課題を解決するための手段】
【００１７】
上記目的を達成するために本発明は、操作キーの背面に発光手段を設けると共に、制御手段がリモコン受信機からの応答信号に応じて、所定の発光手段を発光するようにしてリモコン送信機を構成したものであり、リモコン受信機の表示手段に表示された複数のメニューの選択や決定等を行う際、制御手段が応答信号に応じて所定の発光手段を発光させることで、遠隔操作に必要な操作キーのみが明るく照光され、複数の操作キーの中から操作に必要な操作キーを探す必要がなくなるため、容易に遠隔操作が行えると共に、誤操作も生じづらくなり、使い易く、多様な操作が可能なリモコン送信機を得ることができるという作用を有するものである。
【発明の効果】
【００１８】
以上のように本発明によれば、使い易く、多様な操作が可能なリモコン送信機を実現できるという有利な効果が得られる。
【図面の簡単な説明】
【００１９】
【図１】本発明の一実施の形態によるリモコン送受信装置のブロック回路図
【図２】同平面図
【図３】表示手段の平面図
【図４】従来のリモコン送受信装置の平面図
【発明を実施するための形態】
【００２０】
以下、本発明の実施の形態について、図１〜図３を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるリモコン送受信装置のブロック回路図、図２は同平面図であり、同図において、１は略箱型でポリスチレンやＡＢＳ等の絶縁樹脂製のケースで、このケース１上面の開口孔にはゴムや絶縁樹脂製の複数の操作キー２Ａや２Ｂ等が配列され、これらが上下動可能に突出して操作手段２が形成されている。
【００２３】
また、ケース１内には上下面に銅箔等によって複数の配線パターンが形成された、紙フェノールやガラス入りエポキシ等の配線基板（図示せず）が収納されると共に、操作手段２下方の配線基板上面には、複数の操作キー２Ａや２Ｂ等の上下動によって電気的接離を行う、複数のスイッチ接点（図示せず）が形成されている。
【００２４】
そして、この配線基板には発光ダイオード等によって送信手段３や、受光素子等によって受信手段１５、マイコン等の電子部品によって制御手段１６が形成されると共に、複数の操作キー２Ａや２Ｂ等の背面には、発光ダイオード等によって複数の発光手段１７が設けられている。
【００２５】
さらに、この送信手段３や受信手段１５、発光手段１７、複数のスイッチ接点が配線パターンを介して制御手段１６に接続されて、リモコン送信機１８が構成されている。
【００２６】
また、６はテレビやビデオ等の電子機器で、この前面には液晶表示素子やブラウン管等の表示手段７や、後方にスイッチ接点が形成された複数の操作キー８が設けられると共に、受光素子等の受信手段９、発光ダイオード等の送信手段１９、マイコン等の制御手段２０から形成されたリモコン受信機２１が収納され、このリモコン受信機２１とリモコン送信機１８によって、リモコン送受信装置が構成されている。
【００２７】
以上の構成において、リモコン送信機１８を電子機器６に向けて、例えば選局用の操作キー２Ａを押圧操作すると、この下方のスイッチ接点の電気的接離が行われ、この電気的接離に応じて制御手段１６が、送信手段３から赤外線の選局用の操作信号を電子機器６へ送信し、これをリモコン受信機２１の受信手段９が受信し、制御手段２０によって、例えばテレビの表示手段７に放映されているチャンネルが切り換わる。
【００２８】
あるいは、メニュー用の操作キー２Ｂを押圧操作すると、この下方のスイッチ接点の電気的接離を制御手段１６が検出して、メニュー用の操作信号が電子機器６に送信され、これをリモコン受信機２１の受信手段９が受信して、図３（ａ）の平面図に示すように、例えばテレビの様々な機能を表す複数のメニュー１２が表示手段７に表示されると共に、表示手段７下方には操作案内用の指示１３が表示される。
【００２９】
また、この時、リモコン受信機２１の制御手段２０によって、指示１３の内容に応じた応答信号が送信手段１９から送信され、これをリモコン送信機１８の受信手段１５が受信し、この応答信号に応じて制御手段１６が所定の発光手段１７、例えばカーソル移動用の操作キー２Ｃや２Ｄ、メニュー決定用の操作キー２Ｅ、設定終了用の操作キー２Ｆの背面に設けられた発光手段１７を発光させる。
【００３０】
つまり、この電子機器６の表示手段７に複数のメニュー１２や指示１３が表示された状態では、リモコン送信機１８は、表示手段７下方の指示１３に表示された操作キー２Ｃと２Ｄ、２Ｅと２Ｆ背面の発光手段１７のみが発光し、これらの遠隔操作に必要な操作キーのみが明るく照光された状態となっている。
【００３１】
そして、この照光された四つの操作キーのうち、表示手段７下方に表示された指示１３にしたがって、例えばカーソル移動用の操作キー２Ｃや２Ｄを押圧操作すると、この操作に応じた操作信号が送信手段３から送信され、例えばカーソル１４が、図３（ｂ）に示すように、下方へ移動して、所望のメニュー１２が選択される。
【００３２】
また、カーソル１４が所望のメニュー１２上へ移動した状態で、同じく照光されたメニュー決定用の操作キー２Ｅを押圧操作すると、このメニュー決定用の操作信号を制御手段１６が電子機器６に送信して、例えば画質設定等の電子機器６の機能設定が行われる。
【００３３】
さらに、このように電子機器６の画質設定等を行った後、設定終了用の操作キー２Ｆを押圧操作すると、この操作信号が電子機器６に送信されて機能設定が終了し、表示手段７に所定のチャンネルが放映された状態に戻る。
【００３４】
つまり、リモコン送信機１８の複数の操作キー２Ａや２Ｂ、２Ｃ等の押圧操作に応じて、制御手段１６が赤外線の操作信号を送信手段３から送信すると共に、これをリモコン受信機２１が受信することによって、電子機器６の選局等の操作や、あるいは様々な機能の設定等を、離れた場所から遠隔操作できるように構成されている。
【００３５】
そして、このようにリモコン受信機２１の表示手段７に表示された複数のメニュー１２の選択や決定等を行う際、上述したように、リモコン受信機２１の制御手段２０が、指示１３の内容に応じた応答信号を送信手段１９から送信すると共に、これをリモコン送信機１８の受信手段１５が受信し、この応答信号に応じて制御手段１６が所定の発光手段１７を発光させることで、誤操作がなく、容易にメニュー１２の選択や決定等の遠隔操作が行えるようになっている。
【００３６】
すなわち、複数の操作キーの背面に発光手段１７を設けると共に、制御手段１６がリモコン受信機２１からの応答信号に応じて、所定の発光手段１７を発光させることによって、例えば表示手段７下方の指示１３に関連する操作キー２Ｃと２Ｄ、２Ｅと２Ｆのみが明るく照光され、複数の操作キーの中から操作に必要な操作キーを都度探す必要がなくなるため、容易に遠隔操作が行えると共に、誤操作も生じづらくなり多様な操作が可能なように構成されている。
【００３７】
なお、以上の説明では、表示手段７に複数のメニュー１２や指示１３が表示された状態で、指示１３に関連する操作キー２Ｃと２Ｄ、２Ｅと２Ｆの、四つの操作キーを同時に照光する構成として説明したが、操作に応じこれらを順次照光する構成とすれば、さらに容易に遠隔操作を行うことができる。
【００３８】
つまり、先ず表示手段７に指示１３が表示された状態では、制御手段１６が操作キー２Ｃと２Ｄのみを照光し、この後、このカーソル移動用の操作キー２Ｃや２Ｄが押圧操作されて、カーソル１４が移動して所望のメニュー１２が選択された後は、操作キー２Ｃと２Ｄは消灯し、メニュー決定用の操作キー２Ｅのみを照光する。
【００３９】
そして、この操作キー２Ｅが押圧操作されて、画質設定等の機能設定が行われた後は、操作キー２Ｅを消灯し、設定終了用の操作キー２Ｆのみを照光するというように、次の操作に必要な操作キーのみを順次照光することによって、さらに容易で誤操作の生じづらい操作を行うことが可能となる。
【００４０】
また、例えば操作キー２Ｃと２Ｄは青色、次の操作キー２Ｅは緑色、最後の操作キー２Ｆは橙色というように、操作キー背面の発光手段１７の発光色を異なるものとした構成や、あるいは、次の操作に必要な操作キーのみは点滅する構成とし、これらの発光色の違いや点滅等によって操作を行い易くしてもよい。
【００４１】
このように本実施の形態によれば、操作キーの背面に発光手段１７を設けると共に、制御手段１６がリモコン受信機２１からの応答信号に応じて、所定の発光手段１７を発光させることによって、表示手段７に表示された複数のメニュー１２の選択や決定等を行う際、遠隔操作に必要な操作キーのみが明るく照光され、複数の操作キーの中から操作に必要な操作キーを探す必要がなくなるため、容易に遠隔操作が行えると共に、誤操作も生じづらくなり、使い易く、多様な操作が可能なリモコン送信機を得ることができるものである。
【００４２】
なお、以上の説明では、送信手段３や受信手段１５、送信手段１９や受信手段９を発光ダイオードや受光素子等で形成し、リモコン送信機１８とリモコン受信機２１の送受信を、赤外線によって行う構成について説明したが、これらをアンテナ等によって形成し、電波で双方向の通信を行う構成としても本発明の実施は可能である。
【産業上の利用可能性】
【００４３】
本発明によるリモコン送信機は、使い易く、多様な操作が可能なものが得られ、主に各種電子機器の操作用として有用である。
【符号の説明】
【００４４】
１  ケース
２  操作手段
２Ａ、２Ｂ、２Ｃ、２Ｄ、２Ｅ、２Ｆ  操作キー
３  送信手段
６  電子機器
７  表示手段
８  操作キー
９  受信手段
１２  メニュー
１３  指示
１４  カーソル
１５  受信手段
１６  制御手段
１７  発光手段
１８  リモコン送信機
１９  送信手段
２０  制御手段
２１  リモコン受信機
【図１】
2010278608.tif 000003
【図２】
2010278608.tif 000004
【図３】
2010278608.tif 000005
【図４】
2010278608.tif 000006